(57)【要約】【課題】簡易な構成のシャボン玉製造機を提供する。【解決手段】シャボン玉の原液を収容したフレキシブル容器１とこの容器１の上部に設けたシャボン玉の形成部２からなり、上記シャボン玉の形成部２は、内部にギヤ群３０とファン３６等からなる送風手段を設けかつ空気の吹出口２５を設けた筐体２０と、この筐体２０の外周に沿って移動可能で、下部にシャボン玉の原液膜の張設部４９を備えた送風手段の作動部と、上記筐体２０の外側下部に設けたシャボン玉の原液の貯留部２４を備えた。【選択図】　　　　　　図２
2004065758.tif 000002
【特許請求の範囲】
【請求項１】
シャボン玉の原液を収容したフレキシブル容器とこの容器の上部に設けたシャボン玉の形成部からなり、
上記シャボン玉の形成部は、内部にギヤ群とファン等からなる送風手段を設けかつ空気の吹出口を設けた筐体と、この筐体の外周に沿って移動可能で、下部にシャボン玉の原液膜の張設部を備えた送風手段の作動部と、上記筐体の外側下部に設けたシャボン玉の原液の貯留部を備え、
上記送風手段を駆動して上記吹出口より空気を吹き出し、この空気を作動部の下部の張設部に形成されたシャボン玉の原液膜にあててシャボン玉を作成するシャボン玉製造器。
【発明の詳細な説明】
【０００１】
【発明の属する技術分野】
本発明は、簡易な構成かつ簡単な操作で連続的にシャボン玉を製造できるシャボン玉製造器に関するものである。
【０００２】
【従来の技術】
従来よりシャボン玉を送風手段による送風によって作成する装置はあった。例えば実公平６−４９３５６に示された考案は、前部に前方に向かって末広がり状となる開口部を形成したシャボン玉形成部が形成され、後部にはモーターとファンからなる送風手段が設けられている。
【０００３】
【発明が解決しようとする課題】
上記の考案では、送風手段にはモーターと電池を備えなくてはならず、かつシャボン玉形成部の前端は環状のガイド通路と、その中を通る無端状チェーン等の複雑な構成からなるため重量も重く、取扱いに不便であり、電池の交換も必要であるなど、子供の玩具としては不適当なものであった。
【０００４】
本発明は上記のような従来のシャボン玉製造器の欠点に鑑みてみなされたものであって、簡易な構成かつ容易な操作で子供が手軽に遊べるシャボン玉製造器を提供するものである。
【０００５】
【課題を解決するための手段】
本発明の要旨とするところは、シャボン玉の原液を収容したフレキシブル容器とこの容器の上部に設けたシャボン玉の形成部からなり、上記シャボン玉の形成部は、内部にギヤ群とファン等からなる送風手段を設けかつ空気の吹出口を設けた筐体と、この筐体の外周に沿って移動可能で、下部にシャボン玉の原液膜の張設部を備えた送風手段の作動部と、上記筐体の外側下部に設けたシャボン玉の原液の貯留部を備えたことを特徴とする。
【０００６】
【発明の実施の形態】
以下、本発明の実施の形態について図面を参照しつつ説明する。図１はシャボン玉製造器の斜視図、図２はシャボン玉製造器の正面拡大断面図、図３はシャボン玉製造器の側面拡大断面図である。
【０００７】
本実施形態のシャボン玉製造器は、円筒状のタンク１とその上端に構成したシャボン玉の形成部２からなる。
【０００８】
上記タンク１は、内部にシャボン玉の原液を収容した薄いプラスチックなどの柔軟な材料によって構成されたフレキシブル容器である。通常子供が手に握って保持し、強く握ればタンク１が変形して内部のシャボン玉の原液に圧力がかかり、内蔵したパイプ１１によって上方へと運ばれて、放出口２９より貯留部２４へと放出される。
このタンク１の上端の開口部１ａに後述のシャボン玉の形成部２のキャップが着脱自在に螺合しているのである。
【０００９】
シャボン玉の形成部２は、送風手段を収容した筐体２０と送風手段の作動部４０からなる。筐体２０は、内部にギヤ群３０とファン３６等からなる送風手段を収容した円板状をなし、２枚の側板２１，２１とこの側板２１，２１を連結する外周板２２からなる。また、ファン３６側の側板２１には空気の取入口２１ａが形成されている。符号２１ｂは支持板である。
【００１０】
上記外周板２２には筐体２０内部からの空気が吹き出すための吹出口２５が穿設され、さらに上記パイプ１１の先端が開口したシャボン玉の原液の放出口２９が穿設されている。そしてこの放出口２９の外側には貯留ケース２３を構成してシャボン玉の貯留部２４を構成している。
【００１１】
上記筐体２０内に、送風手段として配置したギヤ群３０は、回転軸５１に軸支されたギヤ３１ａ、前記ギヤ３１ａと噛合するギヤ３２ａ、このギヤ３２ａと同回転をしてギヤ３３ａと噛合するギヤ３２ｂ、及びギヤ３３ａと同回転をしてギヤ３１ｂと噛合するギヤ３３ｂからなる。そして、上記ギヤ３１ｂはファン３６の軸５２に固定されているのである。
さらにこのギヤ群３０内に、図示しないラチュット機構を有していて、作動部４０のレバー４１を矢印方向Ａに回したときにのみギヤ３１ａとギヤ３１ｂは連結するが、レバー４１を反対方向に回した時には連結せず、ギヤ３１の回転力はギヤ３１ｂには伝達されない。
【００１２】
作動部４０は略三角形状の支持板４２，４２と、これを連結する湾曲板４３からなる。この湾曲板４３は上記筐体２０の外周板２２の表面に沿って移動可能に配置され、上端にレバー４１、中央に長孔４８、下端にシャボン玉の原液膜を張設する円孔４９を設けている。
この長孔４８は、筐体２０の吹出口２５から空気が吹き出してきたときに、空気が外周板２２と湾曲板４８の間に入って飛散し、円孔４９に形成されたシャボン玉の原液膜をこわすおそれがあるため、上記吹出口２５から吹き出した空気を逃がすために設けているのである。
【００１３】
上記のように構成した本実施形態の作用を説明する。
まずタンク１を手で握り、シャボン玉の原液をパイプ１１を介して押し出して貯留部２４へと溜める。この場合シャボン玉の原液が良く見えるように貯留部２４は透明体で作成することが好ましい
次いで、レバー４１を移動して作動部４０を図２中矢印Ａ方向へ回転させる。これに伴って筐体２０内のギヤ群３０が、その回転力をファン３６に伝達する。すなわち、ギヤ３１ａ，ギヤ３２ａ，ギヤ３２ｂ，ギヤ３３ａ，ギヤ３３ｂ，ギヤ３１ｂと力は伝達され、かつギヤ比によって回転は速くなりファン３６は高速回転をする。このファン３６の回転によって筐体２０内の空気が吹出口２５より高速で吹き出してくる。
なお、上記レバー４１を矢印Ａと反対側へ戻すときは、上記の説明のようにギヤ群３０はクラッチが外れ、ギヤ３１ａの回転力は他のギヤ３１ｂまで伝わらずファン３６も回転しない。
【００１４】
一方、上記作動部４０の回動に伴い、湾曲板４３の下端に構成した円孔４９が、貯留部２４を通ってチャボン玉の原液を付着させた状態で上方に回動して、上記筐体２０の吹出口２５に合致する。
このとき吹出口２５からは空気が吹き出ているから、円孔４９に付着しているシャボン玉の原液の膜はシャボン玉となって飛び出していく。これを繰り返すことによって、自動的かつ連続的にシャボン玉が生成されるのである。
【００１５】
【発明の効果】
本発明は上記の如き構成及び作用であるから、簡易な構成でありかつ操作も単純でありながら興趣に富み、効率良く連続的にシャボン玉を製造できる。
【図面の簡単な説明】
【図１】本発明のシャボン玉製造器の一実施形態の斜視図
【図２】本発明のシャボン玉製造器の一実施形態の正面拡大断面図
【図３】本発明のシャボン玉製造器の一実施形態の側面拡大断面図
【符号の説明】
１　　タンク
２　　シャボン玉の形成部
１１　　パイプ
２０　　筐体
３０　　ギヤ群
３６　　ファン
２１　　側板
２２　　外周板
２５　　吹出口
２９　　放出口
２３　　貯留ケース
２４　　貯留部
５２　　軸
３１ａ、３１ｂ、３２ａ、３２ｂ、３３ａ、３３ｂ　　ギヤ
４０　　作動部
４２　　支持板
４３　　湾曲板
４１　　レバー
４８　　長孔
４９　　円孔
【図１】
2004065758.tif 000003
【図２】
2004065758.tif 000004
【図３】
2004065758.tif 000005